(57)【要約】【課題】清拭シートを具備する吸収性物品の包装構造において、清拭シートの作業性に優れた吸収性物品の包装構造を提供すること。【解決手段】縦長の吸収性本体１４を有する吸収性物品１を、包装材２と共に長手方向に折り畳み、該包装材２の所定箇所を封止してなる吸収性物品の包装構造１０であって、前記吸収性物品の構成部材に、該構成部材と同一の材料から形成された清拭シート３を切り離し可能に連接する。具体的には、前記吸収性物品１は、前記吸収性本体１４の左右両側に延設された一対のウイング部１５，１５を有しており、一対の該ウイング部１５，１５は該吸収性本体１４の肌当接面側に折り畳まれており、前記清拭シート３は、折り畳まれた一対の該ウイング部１５，１５間に、該ウイング部１５と切り離し可能に連接されて、前記吸収性本体１４の肌当接面側の面上に配されている。【選択図】図２
2008173273.tif 000002
【特許請求の範囲】
【請求項１】
縦長の吸収性本体を有する吸収性物品を、包装材と共に長手方向に折り畳み、該包装材の所定箇所を封止してなる吸収性物品の包装構造であって、
前記吸収性物品の構成部材に、該構成部材と同一の材料から形成された清拭シートが切り離し可能に連接されている吸収性物品の包装構造。
【請求項２】
前記吸収性物品は、前記吸収性本体の左右両側に延設された一対のウイング部を有しており、一対の該ウイング部は該吸収性本体の肌当接面側に折り畳まれており、
前記清拭シートは、折り畳まれた一対の前記ウイング部間に、該ウイング部と切り離し可能に連接されて、前記吸収性本体の肌当接面側の面上に配されている請求項１記載の吸収性物品の包装構造。
【請求項３】
前記吸収性物品は、前記吸収性本体の左右両側に延設された一対のウイング部を有しており、一対の該ウイング部は該吸収性本体の肌当接面側に折り畳まれており、
前記清拭シートは、折り畳まれた一対の前記ウイング部の一方に、該ウイング部と切り離し可能に連接されて、前記吸収性本体の肌当接面側の面上に配されている請求項１記載の吸収性物品の包装構造。
【請求項４】
前記清拭シートは、前記吸収性本体の肌当接面側の面を形成する表面シートの長手方向一端部に、該表面シートと切り離し可能に連接されて、該吸収性本体の肌当接面側の面上に配されている請求項１記載の吸収性物品の包装構造。
【発明の詳細な説明】
【技術分野】
【０００１】
本発明は、生理用ナプキン等の吸収性物品を清拭シートと共に包装材によって包装してなる吸収性物品の包装構造に関する。
【背景技術】
【０００２】
生理用ナプキン、パンティライナー（おりものシート）、使い捨ておむつ等の吸収性物品は、多くの場合、１個ごと包装材によって個装されて市販されている。
ところで、吸収性物品の着用前に、着用者の肌に付着した排泄物や経血を清拭シートで拭き取ることが行われているが、その際、清拭シートを別途用意する必要があり、不便であった。
【０００３】
このような不便を解消するために、包装材からなる包装袋の中に、吸収性物品と共に清拭シートを同梱する技術が開示されている（例えば、特許文献１，２参照）
【０００４】
【特許文献１】実開平３−１３１３０号公報
【特許文献２】実開平２−１１２３号公報
【発明の開示】
【発明が解決しようとする課題】
【０００５】
しかし、特許文献１，２に記載の技術においては、清拭シートを使用する前に、包装袋を開封する作業と包装袋から清拭シートを取り出す作業が必要であり、作業効率が高くなかった。清拭シートによる拭き取り、ナプキン等の装着は、できる限り手早く行われることが望ましく、これら一連の作業をスムーズに行うことのできる技術が要望されていた。
【０００６】
従って、本発明の目的は、清拭シートを内包する吸収性物品の包装構造において、清拭シートの作業性に優れた吸収性物品の包装構造を提供することにある。
【課題を解決するための手段】
【０００７】
本発明は、縦長の吸収性本体を有する吸収性物品を、包装材と共に長手方向に折り畳み、該包装材の所定箇所を封止してなる吸収性物品の包装構造であって、前記吸収性物品の構成部材に、該構成部材と同一の材料から形成された清拭シートが切り離し可能に連接されている吸収性物品の包装構造を提供することにより、上記の目的を達成したものである。
【発明の効果】
【０００８】
本発明の吸収性物品の包装構造は、ナプキン等の吸収性物品の構成部材、例えば、吸収性本体や、該吸収性本体の左右両側に延設された一対のウイング部に対し、該構成部材と同一の材料から形成された清拭シートが切り離し可能に連接されているため、清拭シートの取り出し作業を簡便に行うことができ、清拭シートの作業性に優れている。
【発明を実施するための最良の形態】
【０００９】
以下、本発明の吸収性物品の包装構造を、その好ましい実施形態に基づき図面を参照して説明する。
本発明の第１実施形態としての吸収性物品の包装構造は、図１に示すように、生理用ナプキン１を、包装材２と共にその長手方向に折り畳み、該包装材２の所定箇所（両側部２ａ，２ａ）を封止してなる生理用ナプキンの包装構造１０である。
【００１０】
第１実施形態における生理用ナプキン１（以下、ナプキン１ともいう）は、図２〜図４に示すように、肌当接面を構成する表面シート１１、非肌当接面を構成する裏面シート１２及びこれらの間に介在する吸収層としての液保持性の吸収体１３を具備し、実質的に縦長の形状を有している。
ナプキン１は、図３に示すように、長手方向の一端部から他端部に向かって順に、着用時に着用者の腹部寄りの位置に配される前方部Ａ、着用者の液排泄部に対向配置される排泄部対向部Ｂ及び着用者の背中寄りの位置に配される後方部Ｃを有している。
【００１１】
ナプキン１は、その幅方向の中央部分に、表面シート１１、吸収体１３及び裏面シート１２がこの順に積層された構成の吸収性本体１４を有し、該吸収性本体１４の左右両側に、吸収体１３の両側縁から延出した表面シート１１及び裏面シート１２により形成されたフラップ部を有している。
【００１２】
ナプキン１は、図示しないナプキン１の展開状態（ナプキン１を平面状に拡げた状態）において、吸収性本体１４の左右両側に延設された一対のウイング部１５，１５を有している。ウイング部１５は、吸収性本体１４に接合固定される固定部１５ａと、図示しないナプキン１の展開状態において吸収性本体１４の側部から延出する延出部１５ｂとを有している。固定部１５ａは、図３に示すように、吸収性本体１４の排泄部対向部Ｂにおいて、吸収性本体１４の非肌当接面側（裏面シート１２側）の面の側縁部に、接着剤等の公知の接合手段により接合固定されている。
【００１３】
一対のウイング部１５，１５は、包装構造の内部においては（図１に示す包装構造の開封前の状態においては）、図２に示すように吸収性本体１４の肌当接面側に折り畳まれている。そして、清拭シート３は、この折り畳まれた一対のウイング部１５，１５間に、該ウイング部１５と切り離し可能に連接されて、吸収性本体１４の肌当接面側（表面シート１１側）の面上に配されている。清拭シート３については後述する。
【００１４】
尚、本明細書において、肌当接面は、平面状に拡げた吸収性物品の両面のうち、着用時に着用者の肌側に向けられる面であり、非肌当接面は、平面状に拡げた吸収性物品の両面のうち、着用時にショーツ等の下着側（着用者の肌側とは反対側）に向けられる面である。肌当接面には、吸収性本体１４の表面シート１１側の面やウイング部１５の表面シート１１側の面が含まれ、非肌当接面には、吸収性本体１４の裏面シート１２側の面（後述する本体粘着部１６が設けられている面）やウイング部１５の裏面シート１２側の面（後述するウイング部粘着部１７が設けられている面）が含まれる。
【００１５】
ナプキン１は、吸収性本体１４（ナプキン１）をショーツ等の下着（着衣）に固定するための粘着固定部を有している。
具体的には、図３に示すように、吸収性本体１４の非肌当接面側の面に、粘着剤の塗工により形成された本体粘着部１６が設けられており、また、図２に示すように、一対のウイング部１５，１５それぞれの非肌当接面側の面に、粘着剤の塗工により形成されたウイング部粘着部１７が設けられている。
【００１６】
本体粘着部１６は、ナプキン１の幅方向中央部に、ナプキン１の長手方向を長辺とする長方形状に形成されている。また、本体粘着部１６は、ナプキン１の長手方向の全長に対して６０〜９０％程度の長さに亘って連続的に形成されている。
ウイング部粘着部１７は、ナプキン１を着衣に固定させるためにウイング部１５が裏面シート１２側に折り曲げられた際に、着衣の非肌対向面に粘着固定される。
【００１７】
本体粘着部１６及びウイング部粘着部１７形成用の粘着剤としては、それぞれ、生理用ナプキン等の吸収性物品の粘着部形成用に従来用いられている各種の粘着剤を特に制限なく用いることができ、本体粘着部１６とウイング部粘着部１７とで、粘着剤の種類が同一であっても異なっていてもよい。
【００１８】
包装材２は、包装構造１０の外面を形成するものであり、吸収性本体１４よりも大きく且つ吸収性本体１４の長手方向に長い長方形形状のシートである。包装材２は、吸収性本体１４の非肌当接面側（裏面シート１２側）の面に、本体粘着部１６を介して剥離可能に粘着されており、吸収性本体１４の該非肌当接面側の面の全面を被覆している。包装材２がこのように配されていることにより、該包装材２は、本体粘着部１６の保護部材としても機能する。尚、ウイング部粘着部１７，１７の保護部材としては、従来公知の剥離シート（図示せず）が用いられている。
また、包装材２の幅方向に沿う一方の端縁（ナプキン１の前方部Ａ側の端縁）には、感圧接着式の公知のタブテープ２１が設けられている。
【００１９】
包装材２としては、例えば、ポリプロピレン、低密度ポリエチレン、ポリビニルアルコール、不織布又は紙、及びこれらの複合材料、ＳＭＳ不織布を基材シートとして片面又は両面に剥離処理を施したもの等を用いることができる。該剥離処理は、該基材シートの全面に施してもよく、本体粘着部１６を被覆する部分のみに施してもよい。該剥離処理としては、例えば、シリコーン樹脂系のものを塗布して加熱乾燥や紫外線処理する方法、スプレーによる吹きつけや各種コーターによる薄い皮膜を形成させる方法等を挙げることができる。
【００２０】
清拭シート３について説明する。本発明の吸収性物品の包装構造においては、該吸収性物品の構成部材（例えばウイング部、吸収性本体、表面シート）に、該構成部材と同一の材料から形成された清拭シートが切り離し可能に連接されている。
上述の如き構成の第１実施形態のナプキン１の包装構造１０においては、清拭シート３が連接されている構成部材は、上述したように、折り畳まれた一対のウイング部１５，１５の両方である。尚、本実施形態は、一枚の清拭シート３が所定の構成部材に連接された形態である。ここで、「一枚のシート」とは、連続した形状を有するシートであり、連続とは実質的に連続である。
【００２１】
即ち、第１実施形態においては、図２及び図４に示すように、一枚の清拭シート３が、吸収性本体１４の肌当接面側に折り畳まれた一対のウイング部１５，１５間に、該ウイング部１５，１５と切り離し可能に連接されており、且つウイング部１５，１５と同一の材料から形成されている。清拭シート３とウイング部１５における延出部１５ｂとの境界部分には、図２において点線で示す切り離し部としてのミシン目ＣＬが形成されている。清拭シート３を使用する際には、このミシン目ＣＬに沿って清拭シート３を切り離すことにより、図５（ａ）に示すナプキン１と共に、図５（ｂ）に示す折り畳まれた状態の清拭シート３が得られる。図５（ｃ）は、図５（ｂ）に示す折り畳まれた状態の清拭シート３を展開させた状態を示している。
【００２２】
清拭シート３は、ナプキン１の着用前に着用者の肌に付着した排泄物や経血を拭き取るためのものであり、第１実施形態においては不織布から形成されている。清拭シート３は、図２に示す如くナプキン１の構成部材（ウイング部１５，１５）に連接されている状態においては薬液等を含んでおらず、乾燥した状態にある。清拭シート３は、この乾燥状態のままで使用してもよく、また、構成部材から切り離した後、市販の清拭剤を適宜付与し湿潤状態としてから使用してもよい。
【００２３】
清拭シート３は、包装構造の内部において（図１に示す包装構造の開封前の状態において）、その端部が吸収性本体１４の端部を越えて吸収性本体外方に飛び出さないように、換言すれば、ナプキン１の構成部材と連接されている状態の清拭シート３の全体が吸収性本体１４上に位置する（この場合、該清拭シート３が吸収性本体１４の肌当接面側にあるか非肌当接面側にあるかは問わない）ように配されていることが、コンパクトな包装構造を得る点で好ましい。従って、清拭シート３が吸収性本体１４よりも大きい場合は、上記の配置形態が得られるように該清拭シート３を適宜折り畳むことが好ましい。第１実施形態においては、清拭シート３は、図４に示すように、該清拭シート３が連接されている一対のウイング部１５，１５が吸収性本体１４の肌当接面側に折り畳まれた状態において、該清拭シート３における重なり合う部分を、一対の該ウイング部１５，１５（延出部１５ｂ，１５ｂ）間の中央部で折り潰すことにより、折り畳まれている。
【００２４】
清拭シート３としては、風合いに優れ、上述のナプキン１の構成部材から切り離す際に破損することのない強度を有するものが好ましく用いられる。清拭シート３としては、適度な液を含浸可能な素材であれば良く、具体的にはパルプとレーヨンとからなる繊維を水流交絡により成形されたスパンレース不織布等が好ましい材料として挙げられるが、さらにポリエチレンやポリプロピレンシートとラミネート処理を実施したものを用いてもよい。
尚、上述したように、第１実施形態においては、清拭シート３が連接される一対のウイング部１５，１５は、清拭シート３と同じ材料から形成されるため、一対の該ウイング部１５，１５の形成材料も、上記の中から選択される。
【００２５】
第１実施形態の包装構造１０は、縦長の吸収性本体１４を有するナプキン１を、包装材２と共にナプキン長手方向に折り畳み、該包装材２の所定箇所を封止することにより得られ、例えば下記のようにして得られる。
先ず、図２に示すように、ナプキン１を包装材２上に載置する。この載置する時点で、一対のウイング部１５，１５は、吸収性本体１４の両側縁に沿って吸収性本体１４の肌当接面側（表面シート１１側）に折り曲げられており、更に、こうして折り畳まれた一対のウイング部１５，１５（延出部１５ｂ，１５ｂ）の両方に、一枚の清拭シート３がミシン目ＣＬを跨いで連接されている。
【００２６】
そして、図２に示す展開状態から、図６に示すように、ナプキン１を、排泄部対向部Ｂと後方部Ｃとの境界部付近において、包装材２と共に長手方向に折り曲げ、次いで、該排泄部対向部Ｂと前方部Ａとの境界部付近において、包装材２と共に長手方向に折り曲げる。ナプキン１は、このようにして、構成部材（ウイング部１５）と連接された清拭シート３が排泄部対向部Ｂの肌当接面側の面上に載置された状態で、包装材２と共に長手方向に折り畳まれてコンパクトな形態となる。尚、こうして折り畳まれた形態においては、ウイング部粘着部１７，１７は、図示しない剥離シート（粘着部保護部材）によって被覆されている。
【００２７】
そして、折り畳まれた状態のナプキン１の両側縁から幅方向外方に延出する包装材２の両側部２ａ，２ａをエンボス加工等の公知の接合方法により封止すると共に、包装材２の端縁部をタブテープ２１で所定箇所に止着することにより、図１に示すようなナプキン１の包装構造１０が得られる。
【００２８】
第１実施形態の包装構造１０を使用する際には、図１に示す状態からタブテープ２１を摘んで引っ張り、両側部２ａ，２ａの封止部を引き剥がして図２に示す展開状態とした後、ミシン目ＣＬに沿って清拭シート３を切り離す。この作業によって、図５（ａ）及び（ｂ）に示す状態が作られる。こうして包装構造１０から取り出された図５（ｂ）に示す清拭シート３は、図５（ｃ）に示すように展開した状態で常法通り使用することができ、必要に応じ市販の清拭剤を付与して湿潤状態としてから使用してもよい。
【００２９】
清拭シート３による経血等の拭き取り作業終了後は、ナプキン１の装着を行う。その際は、図５に示す状態から包装材２を引き剥がし、残ったナプキン１における折り畳まれた一対のウイング部１５，１５を展開させて、ナプキン１を図示しない展開状態にする。そして、この展開状態のナプキン１を、図示しないショーツのクロッチ部に載置し、吸収性本体１４を本体粘着部１６を介して該クロッチ部上に固定する。次いで、一対のウイング部１５，１５を、クロッチ部の両側縁に沿って折り曲げ、ウイング部粘着部１７，１７を介して該クロッチ部の非肌対向面に固定する。こうしてナプキン１をショーツに装着して使用することができる。
【００３０】
以上の構成を有する第１実施形態の生理用ナプキンの包装構造１０によれば、ナプキン１の構成部材の１つである一対のウイング部１５，１５間に、該ウイング部１５と同一の材料から形成された清拭シート３がミシン目ＣＬを介して該ウイング部１５，１５と切り離し可能に連接されているため、該包装構造１０の開封後、手動で清拭シート３をナプキン１から切り離すだけの簡単な作業で、清拭シート３を包装構造１０から取り出すことができる。このように、第１実施形態の包装構造は、清拭シートの取り出し作業が簡便で、清拭シートの作業性に優れており、清拭シートによる拭き取り、ナプキンの装着という一連の作業をスムーズに行なうことができる。
【００３１】
次に、本発明の他の実施形態について説明する。以下の実施形態については、上述した第１実施形態の包装構造１０と異なる構成部分を主として説明し、同様の構成部分は同一の符号を付して説明を省略する。特に説明しない構成部分は、第１実施形態の包装構造１０についての説明が適宜適用される。
【００３２】
図７及び図８は、本発明の第２実施形態を示す図である。第２実施形態の吸収性物品の包装構造１０は、一枚の清拭シート３が、第１実施形態のように一対のウイング部１５，１５間に、該ウイング部１５，１５と切り離し可能に連接されておらず、一対のウイング部１５，１５の一方（図７では右側のウイング部１５）にミシン目ＣＬを跨いで該ウイング部１５と切り離し可能に連接されており、且つ該ウイング部１５と同一の材料から形成されている。またこの第２実施形態の清拭シート３は、該清拭シート３が連接されているウイング部１５が肌当接面側（表面シート１１側）に折り畳まれた状態（図７（ａ）に示す状態、図１に示す包装構造の開封前の状態）において、吸収性本体１４の該肌当接面側の面における吸収性本体幅方向の半面の全面を被覆し且つ吸収性本体１４の側縁から該吸収性本体１４の外方に延出しないような形状とされている。またこの第２実施形態の清拭シート３は、図７（ｂ）に示すように、吸収性本体１４の幅方向一端部（側部）において表面シート１１に対してもミシン目ＣＬを跨いで連接されている。
【００３３】
第２実施形態の包装構造１０を使用する際には、図１に示す状態から図７に示す展開状態を作り、この展開状態において、ミシン目ＣＬに沿って清拭シート３を切り離す。この作業によって、図８（ａ）に示すナプキン１と共に、図８（ｂ）に示す清拭シート３が得られる。こうして取り出した清拭シート３を使用した後は、常法通りナプキン１をショーツ等の着衣に装着する。
第２実施形態の包装構造１０によれば、第１実施形態と同様に、清拭シートの取り出し作業を簡便に行うことができ、清拭シートの作業性に優れているという効果が奏される。
【００３４】
図９〜図１２は、本発明の第３実施形態を示す図である。第３実施形態の吸収性物品の包装構造１０は、清拭シート３が連接されているナプキン１の構成部材が、第１実施形態及び第２実施形態のようにウイング部１５ではなく、吸収性本体１４の肌当接面側の面を形成する表面シート１１となっている。第３実施形態の清拭シート３は、図９〜図１１に示すように、吸収性本体１４の肌当接面側の面を形成する表面シート１１の後方部Ｃ側の長手方向一端部に、ミシン目ＣＬを跨いで該表面シート１１と切り離し可能に連接されており、且つ該表面シート１１と同一の材料から形成されている。この清拭シート３の長手方向の長さは、吸収性本体１４の長手方向の長さの半分と等しく、またその幅方向の長さは、吸収性本体１４の幅方向の長さと等しい。この清拭シート３は、包装構造の内部においては（図１に示す包装構造の開封前の状態においては）、図１２に示すように、ミシン目ＣＬを折り目として吸収性本体１４側に折り返され、該吸収性本体１４の肌当接面側の面上にて、折り畳まれた一対のウイング部１５，１５の下方に配される。
【００３５】
尚、第３実施形態における一対のウイング部１５，１５は、上述した各実施形態における一対のウイング部１５，１５のように、吸収性本体１４とは別体のウイング部用部材を該吸収性本体１４に接合固定することにより形成されたものではなく、前記フラップ部（吸収体１３の両側縁から延出した表面シート１１及び裏面シート１２により形成されたフラップ部）が、排泄部対向部Ｂにおいてナプキン１の幅方向の外方に向かって大きく張り出すことにより延設形成されている（図１０参照）。即ち、第３実施形態におけるウイング部１５は、吸収性本体１４の構成部材である表面シート１１及び裏面シート１２から形成されている。
【００３６】
第３実施形態の包装構造１０を使用する際には、図１に示す状態から、図１２に示す展開状態（清拭シート３が吸収性本体１４側に折り返された状態）を経て、図９に示すように清拭シート３を展開し（図９では一対のウイング部１５，１５は折り畳まれた状態で記載されているが、実際にはこの段階では、一対のウイング部１５，１５は図１０に示すように展開させる）、この展開状態において、ミシン目ＣＬに沿って清拭シート３を切り離す。こうして取り出した清拭シート３を使用した後は、常法通りナプキン１をショーツ等の着衣に装着する。
第３実施形態の包装構造１０によれば、第１実施形態と同様に、清拭シートの取り出し作業を簡便に行うことができ、清拭シートの作業性に優れているという効果が奏される。
【００３７】
上述した各実施形態における各部（表面シート、裏面シート、吸収体等）の形成材料としては、生理用ナプキン等の吸収性物品の包装構造に、従来用いられているものを特に制限なく用いることができる。例えば、裏面シートとしては、樹脂フィルムや樹脂フィルムと不織布等との積層体等を用いることができる。但し、清拭シートと連接される吸収性物品の構成部材については、清拭シートとして使用可能な材料から形成される。
【００３８】
本発明の吸収性物品の包装構造は、上述した実施形態に制限されるものではなく、本発明の趣旨を逸脱しない範囲において種々変形可能である。
例えば、包装材２の形状は、吸収性物品の包装が可能であればよく、特に制限されない。
また、本発明に係る粘着部の形状は、着衣固定用として使用可能であればよく、特に制限されない。また、粘着部は、所定箇所に１つだけ設けられていてもよく、複数に分割されて設けられていてもよい。例えば、本体粘着部１６は、ナプキン１の長手方向及び／又は幅方向において複数に分割されていてもよい。
また、本発明における吸収性物品は、生理用ナプキンの他、パンティライナー（おりものシート）、失禁パッド等の他の吸収性物品であってもよい。
【００３９】
また、本発明の吸収性物品の包装構造は、上述したように、吸収性物品の構成部材に、該構成部材と同一の材料から形成された清拭シートが切り離し可能に連接されていればよく、清拭シートが連接される吸収性物品の構成部材は、上述の実施形態のようにウイング部１５や、吸収性本体１４の肌当接面側の面を形成する表面シート１１に限定されず、例えば、吸収性本体１４の非肌当接面側の面を形成する裏面シート１２であってもよい。
また、上述の第３実施形態は、一枚の清拭シート３が、吸収性本体１４の肌当接面側の面を形成する表面シート１１の後方部Ｃ側の長手方向一端部に、該表面シート１１と切り離し可能に連接された形態であったが、この形態において更に、該清拭シート３と同一形状で同じ大きさの清拭シートを、該表面シート１１の前方部Ａ側の長手方向他端部にも切り離し可能に連接させてもよい。即ち、吸収性本体１４における表面シート１１の長手方向両端部それぞれに、清拭シート３が切り離し可能に連接されている形態（二枚の清拭シートを具備した形態）も本発明に含まれる。
【図面の簡単な説明】
【００４０】
【図１】本発明の第１実施形態である生理用ナプキンの包装構造を示す斜視図である。
【図２】図１に示す包装構造の展開状態における肌当接面側（表面シート側）を示す平面図である。
【図３】図１に示す包装構造における生理用ナプキンの非肌当接面側（裏面シート側）を示す底面図である。
【図４】図２のＸ−Ｘ線断面を模式的に示した断面図である。
【図５】図２に示す包装構造の展開状態から点線（ミシン目）に沿って清拭シートを切り離した状態を示す平面図であり、（ａ）は、清拭シートが切り離された直後のナプキンを示し、（ｂ）は、切り離された直後における折り畳まれた状態の清拭シートを示し、（ｃ）は、（ｂ）に示す折り畳まれた状態の清拭シートを展開した状態を示す。
【図６】図２に示す状態から包装材をナプキンと共に折り畳む過程を示す斜視図である。
【図７】本発明の第２実施形態である生理用ナプキンの包装構造の展開状態における肌当接面側（表面シート側）を示す平面図であり、（ａ）は、一対のウイング部をそれぞれ吸収性本体の肌当接面側に折り畳んだ状態を示し、（ｂ）は、一対のウイング部のうち、清拭シートが連接されたウイング部のみを吸収性本体の外方に折り曲げた（展開した）状態を示す。
【図８】図７に示す包装構造の展開状態から点線（ミシン目）に沿って清拭シートを切り離した状態を示す平面図であり、（ａ）は、清拭シートが切り離され、一対のウイング部がそれぞれ展開された状態のナプキンを示し、（ｂ）は、切り離された清拭シートを示す。
【図９】本発明の第３実施形態である生理用ナプキンの包装構造の展開状態における肌当接面側（表面シート側）を示す平面図である。
【図１０】図９に示す包装構造における生理用ナプキンの非肌当接面側（裏面シート側）を示す底面図である。
【図１１】図９のＹ−Ｙ線断面を模式的に示した断面図である。
【図１２】図９に示す状態から清拭シートを吸収性本体の肌当接面側に折り畳んだ状態を示す平面図である。
【符号の説明】
【００４１】
１  生理用ナプキン（吸収性物品）
１０  生理用ナプキンの包装構造（吸収性物品の包装構造）
１１  表面シート（肌当接面）
１２  裏面シート（非肌当接面）
１３  吸収体（吸収層）
１４  吸収性本体
１５  ウイング部
１５ａ  固定部
１５ｂ  延出部
１６  本体粘着部
１７  ウイング部粘着部
２  包装材
３  清拭シート
Ａ  前方部
Ｂ  排泄部対向部
Ｃ  後方部
ＣＬ  ミシン目（切り離し部）
【図１】
2008173273.tif 000003
【図２】
2008173273.tif 000004
【図３】
2008173273.tif 000005
【図４】
2008173273.tif 000006
【図５】
2008173273.tif 000007
【図６】
2008173273.tif 000008
【図７】
2008173273.tif 000009
【図８】
2008173273.tif 000010
【図９】
2008173273.tif 000011
【図１０】
2008173273.tif 000012
【図１１】
2008173273.tif 000013
【図１２】
2008173273.tif 000014